(57)【要約】      （修正有）【課題】プレス金型に偏心回転体による横向きの負荷が作用しないプレス装置を提供する。【解決手段】金型固定ベース２に取り付けられた固定金型５と可動金型６を一体化した構成のプレス金型２１と、第１の支柱体３ａと第２の支柱体３ｂに支持された形態で金型固定ベース２よりも上方に設けられた、直線打ち下ろし動作によって可動金型６をプレス動作させるハンマー７を有するハンマー支持ベース８と、ハンマー支持ベース８に設けられた、ハンマー７を上方に常に付勢押上状態としているハンマー押上付勢部１０と、偏心回転動作によってハンマー７を付勢押上状態に抗して、ハンマー７を直線打ち下ろし動作（昇降動作）させる偏心回転体１１とからなっている。【選択図】図１
2019005798.tif 000002
【特許請求の範囲】
【請求項１】
金型固定ベースと、
この金型固定ベース側から立設された第１の支柱体と、
前記金型固定ベース側から前記第１の支柱と間隔を開けて立設され第２の支柱体と、
前記金型固定ベースに取付け取外し自在の固定手段により取り付けられた、固定金型と可動金型を一体化した構成のプレス金型と、
前記第１の支柱体と前記第２の支柱体に支持された形態で前記金型固定ベースよりも上方に設けられた、直線打ち下ろし動作によって前記可動金型をプレス動作させるハンマーを有するハンマー支持ベースと、
前記ハンマー支持ベースに設けた、前記直線打ち下ろし動作を可能とするための貫通開口と、
前記ハンマー支持ベースに設けられた、前記ハンマーを上方に常に付勢押上状態としているハンマー押上付勢部と、
偏心回転動作によって前記ハンマーを前記付勢押上状態に抗して、前記ハンマーを前記直線打ち下ろし動作させる偏心回転体と、
前記偏心回転体を回転駆動させるモータと、を備えてなることを特徴とするプレス装置。
【請求項２】
前記ハンマー押上付勢部は、
前記ハンマー支持ベースに貫通形態で設けられたスライド案内部と、
前記ハンマー支持ベースの下方に位置されていて前記ハンマーに横突出し形態で設けられた付勢力伝達部と、
この付勢力伝達部に下部側を固定し、前記スライド案内部に通され、上部側を前記ハンマー支持ベースから突出させて、該突出させた部位を縦伝達上部位としてなる付勢力縦伝達部と、
前記縦伝達上部位に横突出し形態で設けられた付勢力横伝達部と、
前記ハンマー支持ベースに立設され、前記付勢力横伝達部を上下移動可能に支持案内し、前記付勢力横伝達部を上方に常に付勢押上状態としている押上付勢手段と、を備えてなるとともに、
前記押上付勢手段の押上付勢力によって、前記ハンマーを上方に常に付勢押上状態としていることを特徴とする請求項１記載のプレス装置。
【請求項３】
前記偏心回転体の回転の作用によって生じる遠心力の影響で漏れ出す円滑剤を受け溜めるトレーを前記可動金型の上部に設け、又は、前記ハンマーの下部側に設け、前記円滑剤が前記トレーより下及び前記前記第１の支柱体と前記第２の支柱体部位より周囲に飛散しないようにする、前記トレーを含む飛散防止体を設けて、飛散した前記円滑剤で下り降りる円滑剤が前記トレーに集約されるようにする漏れ円滑剤案内部を設けてなることを特徴とする請求項１又は２記載のプレス装置。
【請求項４】
プレス金型が、シートからカードを打抜くカード打抜き金型であることを特徴とする請求項１，２又は３記載のプレス装置。
【発明の詳細な説明】
【技術分野】
【０００１】
本発明は、プレス装置に係り、特にシートからカードを打抜くのに適した偏心駆動によるプレス装置に関する。
【背景技術】
【０００２】
従来の偏心駆動によるプレス装置として、特許文献１、２の技術が知られている。
特許文献１の技術は、
抜部材２３（シート）を支持案内するガイドレール２、２を上部に有する下部基板１（固定金型）と、
この基板１に立設された支柱３、３、３、３（スライド支持軸）と、
この支柱３、３、３、３の上部に動かないように固定形態で設けられた、貫通開口形態の穴１２を中央に有する上部基板４と、
支柱３、３、３、３に昇降移動可能に支持され、支柱３、３、３、３に装着されたバネ７によって付勢押し上げ状態とされている、下部にガイドレール２、２に支持案内される抜部材２３を打抜く抜刃２１を有する昇降板５（可動金型）と、
この昇降板５に立設された、上部に穴１２内に位置さするローラ１３を有する支持部材１０と、
上部基板４の上部に設けられた、ローラ１３に偏心当たりして支持部材１０および昇降板５を昇降動作（抜部材２３の打抜動作）させる偏心カム１７（偏心回転体）と、
上部基板４の上部に設けられた、偏心カム１７を回転駆動させる電動機１９と、
以上のごとく構成されてなるジグソーパズルのプレス装置である。
そして、特許文献１の技術は、昇降板５（可動金型）を偏心カム１７（偏心回転体）の直接的な偏心回転当たりによってプレス動作させるものである。
【０００３】
特許文献２のプレス装置は、
上部に成形下型８０（固定金型）を設け、圧縮コイルバネ３４を有する案内支柱３０、３０（スライド支持軸）を立設してなる台盤２６と、
案内支柱３０、３０の上部側にそれぞれ上下移動可能に支持され、かつ、圧縮コイルバネ３４によって付勢押し上げ状態に支持されてなる円筒形態のスリーブ部材３８、３８と、
このスリーブ部材３８、３８の上部側に固定され、該スリーブ部材３８、３８と一体的に上下移動可能とされたプレート形態の、上部面にカム受座４２を有し、下部に可動成形型取付け手段４４を設けてなる支持ヘッド２０（可動金型）と、
台盤２６からから立設された軸受支柱２８、２８（＝枠体１６、１６）と、
この軸受支柱２８、２８に軸支された、モータ１１０によって回転駆動される、カム受座４２に偏心回転当たりをするベアリングからなるカムリング５６を外周に有する偏心ディスク５２を装着したカム軸１２とからなるとともに、
カムリング５６と偏心ディスク５２とで偏心回転体を形成しているモジュール式プレスである。
そして、特許文献２の技術は、支持ヘッド２０（可動金型）偏心回転体の直接的な偏心回転当たりによってプレス動作されるものである。
【先行技術文献】
【特許文献】
【０００４】
【特許文献１】実開平6-39399号公報
【特許文献２】特開平11-309598号公報
【発明の概要】
【発明が解決しようとする課題】
【０００５】
上述した特許文献１、２の技術は、可動金型を偏心回転体の直接的（可動金型上部に、偏心回転体当たり受座、偏心回転体当たり支柱などを有するものを含む。）な偏心回転当たりによってプレス動作させるものであるので、偏心回転体の打ち込み動作の度に、回転方向である横向き負荷が可動金型および金型全体に作用して、特に可動金型をスライド支持するスライド支持軸に横向きの負荷が強く作用してプレス動作の精密性に悪影響を与えるという問題を有するものであった。
【０００６】
上述した特許文献１の技術は、支柱３、３、３、３と、固定金型である下部基板１と、可動金型である昇降板５とが一体的な構成であるので、下部基板１（固定金型）及び昇降板５（可動金型）を同時に一体にしてプレス装置から素早くかつ容易には取り外すことはできない、素早くかつ容易には取り付けることができないものであった。
すなわち、下部基板１（固定金型）及び昇降板５（可動金型）の交換に時間が多くかかり、生産効率が悪いという問題を有するものであった。
また、ローラ１３の円滑用のグリス（油よりも粘度が高く流動性が低いため潤滑剤の一種）が遠心力によって外に漏れだし飛散することが多く、飛散したグリスが抜部材２６（シート）や、ジグソーパズルを汚してしまう、装置および装置周辺を汚すという問題を有するものであった。
【０００７】
上述した特許文献２のモジュール式プレスは、案内支柱３０、３０と、固定金型である成形下型８０と、可動金型である支持ヘッド２０とが一体的な構成であるので、成形下型８０（固定金型）及び支持ヘッド２０（可動金型）を一体にして同時にプレス装置から、素早くかつ容易には取り外すことはできないものであった。成形下型８０（固定金型）及び支持ヘッド２０（可動金型）を一体にして同時にプレス装置に、素早くかつ容易には取り付けることができないものであった。
すなわち、成形下型８０（固定金型）及び支持ヘッド２０（可動金型）の交換に時間が多くかかり、生産効率が悪いという問題を有するものであった。
また、カムリング５６内の円滑用のグリスが、遠心力によって外に漏れだし飛散することが多く、飛散したグリスが成型品を汚してしまう、装置および装置周辺を汚すという問題を有するものであった。
【０００８】
本発明は以上のような従来技術の欠点に鑑み、プレス金型に偏心回転体による横向きの負荷が作用しないプレス装置を提供することを目的としている。
また、プレス金型をプレス装置から素早くかつ容易に取り外すことができる、また素早くかつ容易に取り付けることができるプレス装置を提供することを目的としている。
また、回転部の遠心力によって飛散するグリス等の円滑剤が形成製品および装置周辺を汚すことのないプレス装置を提供することを目的としている。
【課題を解決するための手段】
【０００９】
上記目的を達成するために、本発明は次に述べるような構成としている。
＜請求項１記載の発明＞
金型固定ベースと、
この金型固定ベース側から立設された第１の支柱体と、
前記金型固定ベース側から前記第１の支柱と間隔を開けて立設され第２の支柱体と、
前記金型固定ベースに取付け取外し自在の固定手段により取り付けられた、固定金型と可動金型を一体化した構成のプレス金型と、
前記第１の支柱体と前記第２の支柱体に支持された形態で前記金型固定ベースよりも上方に設けられた、直線打ち下ろし動作によって前記可動金型をプレス動作させるハンマーを有するハンマー支持ベースと、
前記ハンマー支持ベースに設けた、前記直線打ち下ろし動作を可能とするための貫通開口と、
前記ハンマー支持ベースに設けられた、前記ハンマーを上方に常に付勢押上状態としているハンマー押上付勢部と、
偏心回転動作によって前記ハンマーを前記付勢押上状態に抗して、前記ハンマーを前記直線打ち下ろし動作させる偏心回転体と、
前記偏心回転体を回転駆動させるモータと、を備えてなることを特徴とするプレス装置である。
＜請求項２記載の発明＞
前記ハンマー押上付勢部は、
前記ハンマー支持ベースに貫通形態で設けられたスライド案内部と、
前記ハンマー支持ベースの下方に位置されていて前記ハンマーに横突出し形態で設けられた付勢力伝達部と、
この付勢力伝達部に下部側を固定し、前記スライド案内部に通され、上部側を前記ハンマー支持ベースから突出させて、該突出させた部位を縦伝達上部位としてなる付勢力縦伝達部と、
前記縦伝達上部位に横突出し形態で設けられた付勢力横伝達部と、
前記ハンマー支持ベースに立設され、前記付勢力横伝達部を上下移動可能に支持案内し、前記付勢力横伝達部を上方に常に付勢押上状態としている押上付勢手段と、を備えてなるとともに、
前記押上付勢手段の押上付勢力によって、前記ハンマーを上方に常に付勢押上状態としていることを特徴とする請求項１記載のプレス装置である。
＜請求項３記載の発明＞
前記偏心回転体の回転の作用によって生じる遠心力の影響で漏れ出す円滑剤を受け溜めるトレーを前記可動金型の上部に設け、又は、前記ハンマーの下部側に設け、前記円滑剤が前記トレーより下及び前記前記第１の支柱体と前記第２の支柱体部位より周囲に飛散しないようにする、前記トレーを含む飛散防止体を設けて、飛散した前記円滑剤で下り降りる円滑剤が前記トレーに集約されるようにする漏れ円滑剤案内部を設けてなることを特徴とする請求項１又は２記載のプレス装置である。
＜請求項４記載の発明＞
プレス金型が、シートからカードを打抜くカード打抜き金型であることを特徴とする請求項１，２又は３記載のプレス装置である。
【発明の効果】
【００１０】
以上の説明から明らかなように、本発明にあっては次に列挙する効果が得られる。
＜請求項１記載の発明の効果＞
（１）可動金型のプレス動作は、偏心回転体の回転を直線打ち下ろし動作とした、ハンマーの直線打ち下ろし動作によって行うので、可動金型には偏心回転体の回転による横向きの負荷は全く作用しないプレス動作を実現する。
（２）プレス金型は可動金型と固定金型を一体とした構成であり、プレス金型とハンマーは分離された形態となるものであるので、プレス金型を金型固定ベースに取付け取外し自在形態で固定している固定手段を取り除くだけの簡単容易な操作により、素早くプレス金型のみを金型固定ベースから取外し、装置から除くことができるとともに、新たなプレス金型を金型固定ベースに置き固定手段により固定するという、簡単で容易で素早い取付け操作でプレス金型の交換を短時間で行うことが可能とするものである。
すなわち、プレス金型の交換作業を短時間とでるので、生産効率を高める。
＜請求項２記載の発明の効果＞
請求項１記載の発明と同様な効果を奏する。
＜請求項３記載の発明の効果＞
前記偏心回転体の回転の作用によって生じる遠心力の影響で漏れ出す円滑剤を受け溜めるトレーを前記可動金型の上部に設け、又は、前記ハンマーの下部側に設け、前記円滑剤が前記トレーより下及び前記前記第１の支柱体と前記第２の支柱体部位より周囲に飛散しないようにする、前記トレーを含む飛散防止体を設けて、飛散した前記円滑剤で下り降りる円滑剤が前記トレーに集約されるようにする漏れ円滑剤案内部を設けてなる構成であるので、
請求項１又は２記載の発明と同様な効果を奏するとともに、漏れ円滑剤の成形品への飛散および装置周辺への飛散を防止する。
特に、可動金型上部にトレーを設けた構成では、集約され漏れ円滑剤を溜めている可動金型上部のトレーは、プレス金型交換時に該プレス金型につけたまま取出し、新たなトレーを取り付けた新たなプレス金型に交換で、常に円滑剤の付着の無いトレーの使用にできる。
＜請求項４記載の発明の効果＞
請求項１，２又は３記載の発明と同様な効果を奏する。
【図面の簡単な説明】
【００１１】
【図１】本発明の実施例１を示す正面側の飛散防止体を外した状態の部分断面正図。
【図２】本発明の実施例１の回転偏心体が下死点に達した状態図。
【図３】本発明の実施例１のハンマー押上付勢部を示す部分断面拡大図。
【図４】本発明の実施例１の主に飛散防止体を示す正面図。
【図５】本発明の実施例１の主に飛散防止体を示す側面図。
【図６】本発明の実施例２を示す正面側の飛散防止体を外した状態の部分断面正面図。
【図７】本発明の実施例３を示す正面側の飛散防止体を外した状態の正面図。
【発明を実施するための形態】
【００１２】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１３】
図１〜図５に示す本発明の実施例１において、プレス装置１は次に述べるような構成となっている。
金型固定ベース２と、
この金型固定ベース２側から立設された第１の支柱体３ａと、
金型固定ベース２側から第１の支柱体３ａと間隔を開けて立設され第２の支柱体３ｂと、
金型固定ベース２に取付け取外し自在のボルトからなる固定手段４の複数により取り付けられた、固定金型５と可動金型６を一体化した構成のプレス金型２１と、
第１の支柱体３ａと第２の支柱体３ｂに支持された形態で金型固定ベース２よりも上方に設けられた、直線打ち下ろし動作によって可動金型６をプレス動作させるハンマー７を有するハンマー支持ベース８と、
ハンマー支持ベース８に設けた、直線打ち下ろし動作を可能とするための貫通開口９と、
ハンマー支持ベース８に設けられた、ハンマー７を上方に常に付勢押上状態としているハンマー押上付勢部１０と、
偏心回転動作によってハンマー７を付勢押上状態に抗して、ハンマー７を直線打ち下ろし動作（昇降動作）させる偏心回転体１１と、
偏心回転体１１を回転駆動させるサーボモータからなるモータ１２と、を備えた構成となっている。
【００１４】
偏心回転体１１はカム形態であり、ハンマー７に当たり押し下げる部位は湾曲の突出形態となっている。
偏心回転体１１は回転中心２０を中心にして回転する。
【００１５】
ハンマー７は、貫通開口９内に位置するように設けられた、偏心回転体１１が直接当たるベアリング３０と、このベアリング３０を回転自在に支持しているベアリング支持部３１と、このベアリング支持部３１の下部側に設けられた高さ位置調節が可能とされた、可動金型６に突き当たるハンマーヘッド３２とからなっている。
ハンマーヘッド３２は、雄ねじが螺刻されたねじ棒部４０と、このねじ棒部４０に雌ねじ螺合されたヘッド位置を固定する固定ナット４１と、この固定ナット４１に下部側に位置して、ねじ棒部４０に止まり穴形態の雌ねじを螺合して設けられたヘッド部４２とからななっている。
固定ナット４１を回し緩め（ヘッド部４２から離間させる）て、ヘッド部４２を回して位置決めをし、固定ナット４１を回し締め付けてヘッド部４２の位置決めを固定する。
固定ナット４１およびヘッド部４２には、棒部材（ねじ棒でもよい）を差し込んでそれらを回すための棒部材差込穴２８（ねじ穴でもよい）が設けられている。
【００１６】
ハンマー押上付勢部１０は、
ハンマー支持ベース８に貫通形態で設けられた４か所のスライド案内部１３と、
ハンマー支持ベース８の下方に位置されていてハンマー７
（ベアリング支持部３１とハンマーヘッド３２の間）に横突出し形態で設けられた付勢力伝達部１４と、
この付勢力伝達部１４に下部側を固定し、スライド案内部１３に通され、上部側をハンマー支持ベース８から突出させて、該突出させた部位を縦伝達上部位１５としてなる４つの付勢力縦伝達部１６と、
それぞれの縦伝達上部位１５に横突出形態で設けられた付勢力横伝達部１７と、
ハンマー支持ベース８に立設され、付勢力横伝達部１７を上下移動可能に支持案内し、付勢力横伝達部１７を上方に常に付勢押上状態としている圧縮コイルバネからなる押上付勢手段１８を有する４つの付勢手段支持部２２と、を備えてなるとともに、
押上付勢手段１８の押上付勢力によって、ハンマー７は上方に常に付勢押上状態とされている。
ハンマー７は４つのスライド案内部１３と、該スライド案内部１３に通された４つの付勢力縦伝達部１６によって、昇降動作ができるようにその姿勢および動作を支持されている。
押上付勢手段には、引っ張りコイルバネ等によって付勢引き上げ形態で行うもの、圧縮コイルバネをハンマー支持ベース８の下側に位置させる形態など多様な形態がある。
【００１７】
偏心回転体１１の回転の作用によって生じる遠心力の影響でベアリング３０から漏れ出すグリスである円滑剤を受け溜めるトレー２５を可動金型６の上部に着脱可能形態で設け、円滑剤がトレー２５より下及び第１の支柱体３ａと第２の支柱体部位３ｂ側より周囲に飛散しないようにする、トレー２５を含む飛散防止体２６を設けて、下り降りる円滑剤がトレー２５に集約されるようにする漏れ円滑剤案内部２７を設けている。
ハンマー支持ベース８は、該ハンマー支持ベース８の上方側に位置する偏心回転体１１から漏れ出す漏れ円滑剤その上面で受け止め、貫通開口９から付勢力伝達部１４上に落ちる飛散勢いを完全に無くした状態にして、付勢力伝達部１４上からトレー２５上に流れ落とす。
偏心回転体１１から勢いよく飛散して貫通開口９下に突入した漏れ円滑剤は付勢力伝達部１４上で止められ、その飛散勢いを完全に無くした状態とされる。
【００１８】
飛散防止体２６は、
トレー２５、漏れ円滑剤案内部２７、２７と、
第１の支柱体３ａと、
第２の支柱体３ｂと、
第１の支柱体３ａ及び第２の支柱体３ｂの上部に設けられた天井板３５と、
第１の支柱体３ａ及び第２の支柱体３ｂの前側で、プレス金型２１を出し入れする開口３９を残すように設けられた、駆動軸３６を軸支している前板３７と、
第１の支柱体３ａ及び第２の支柱体３ｂの後部側を全部覆う形態で設けられた、駆動軸３６を後部側で軸支している後板３８とからなっている。
漏れ円滑剤案内部２７は開口３９より外側に突出した形態で設けられ、トレー２５は漏れ円滑剤案内部２７よりさらに外側に突出した形態で設けられている。
前板３７は、第１の支柱体３ａ、第２の支柱体３ｂ、天井板３５、ハンマー支持ベース８に設けられたねじ穴１９にボルトにより固定される。
【００１９】
プレス金型２１はシートＳからカードを打抜くカード打抜き金型であった、非打抜時はシートＳが通されるシート通し隙間を固定金型５と可動金型６の型間に形成するとともに、打抜時はシート通し隙間に通されたシートＳを固定金型５と可動金型６で抑えた状態で可動金型６内に装備された打抜パンチによってカードの打抜を行う。
シート通し隙間の隙間距離はシートＳの１枚の厚みよりも広くかつ該シートＳの２枚の厚みよりも狭い隙間距離である。
【００２０】
プレス金型２１の上流にはシートＳを挟持形態で搬送するシート搬送部３３が設けられている。
また、プレス金型２１の下流にはカードを挟持形態で搬送するカード搬送部３４が設けられ、シート通し隙間からカード搬送部３４のカード挟持部位までの距離がカードの長さよりも短い距離でとしている。
カード搬送部、シート搬送部はローラ挟持形態、ローラと搬送ベルトの組合せ形態、搬送ベルト形態（挟持搬送形態、載せ搬送形態がある。）などがある。
【実施例２】
【００２１】
図６に示す本発明の実施例２において前記実施例１と主に異なる点は、偏心回転体をベアリングからなる偏心回転体４３とし、ハンマーを偏心回転体４３が当たる非回転の偏心回転体受部４４と、該偏心回転体受部４４も下部に一体形態で設けたハンマーヘッド３２とからなる構成としたプレス装置４５を形成した点にある。
偏心回転体４３から漏れ円滑剤が漏れ飛散する可能性が大である。
ハンマー支持ベース８は、該ハンマー支持ベース８の上方側に位置する偏心回転体４３から漏れ出す漏れ円滑剤の大部分をその上面で受け止め、貫通開口９から付勢力伝達部１４上に落としその飛散勢いを完全に無くした状態にして、付勢力伝達部１４上からトレー２５上に流れ落とす。
偏心回転体４３から勢いよく飛散して貫通開口９内に突入した漏れ円滑剤は付勢力伝達部１４上で止められ、その飛散勢いを完全に無くした状態とされる。
【実施例３】
【００２２】
図７に示す本発明の実施例３において前記実施例１と主に異なる点は、偏心回転体を円形形態とした偏心回転体４７とし、ハンマーヘッド３２の上部側に延長部５０を設け、ハンマーヘッド３２の上部側にトレー２５を設けてなるプレス装置４９を形成した点にある。
トレー２５に溜まったグリース等は汲み出すないしふき取るだけで除去できるので、トレー２５の交換は不要である。
【００２３】
本発明は、プレス金型に偏心回転体による横向きの負荷が作用しないカジノ用品成型プレス装置、トランプカード成型プレス装置およびトレーディングカード成型プレス装置を除くプレス装置を提供することを目的とするのもよい。
また、プレス金型をプレス装置から素早くかつ容易に取り外すことができる、また素早くかつ容易に取り付けることができるカジノ用品成型プレス装置、トランプカード成型プレス装置およびトレーディングカード成型プレス装置を除くプレス装置を提供することを目的とするのもよい。
また、回転部の遠心力によって飛散するグリス等の円滑剤が形成製品および装置周辺を汚すことのないカジノ用品成型プレス装置、トランプカード成型プレス装置およびトレーディングカード成型プレス装置を除くプレス装置を提供することを目的とするのもよい。
【００２４】
金型固定ベースと、
この金型固定ベース側から立設された第１の支柱体と、
前記金型固定ベース側から前記第１の支柱と間隔を開けて立設され第２の支柱体と、
前記金型固定ベースに取付け取外し自在の固定手段により取り付けられた、固定金型と可動金型を一体化した構成のプレス金型と、
前記第１の支柱体と前記第２の支柱体に支持された形態で前記金型固定ベースよりも上方に設けられた、直線打ち下ろし動作によって前記可動金型をプレス動作させるハンマーを有するハンマー支持ベースと、
前記ハンマー支持ベースに設けた、前記直線打ち下ろし動作を可能とするための貫通開口と、
前記ハンマー支持ベースに設けられた、前記ハンマーを上方に常に付勢押上状態としているハンマー押上付勢部と、
偏心回転動作によって前記ハンマーを前記付勢押上状態に抗して、前記ハンマーを前記直線打ち下ろし動作させる偏心回転体と、
前記偏心回転体を回転駆動させるモータと、を備えてなることを特徴とするカジノ用品成型プレス装置、トランプカード成型プレス装置およびトレーディングカード成型プレス装置を除くプレス装置。
【産業上の利用可能性】
【００２５】
本発明は、主にシートからカードを打抜くプレス装置を使用する産業で利用される。
【符号の説明】
【００２６】
Ｓ：シート、
１：プレス装置、
２：金型固定ベース、
３ａ：第１の支柱体、
３ｂ：第２の支柱体、
４：固定手段、
５：固定金型、
６：可動金型、
７：ハンマー、
８：ハンマー支持ベース、
９：貫通開口、
１０：ハンマー押上付勢部、
１１：偏心回転体、
１２：モータ、
１３：スライド案内部、
１４：付勢力伝達部、
１５：縦伝達上部位、
１６：付勢力縦伝達部、
１７：付勢力横伝達部、
１８：押上付勢手段、
１９：ねじ穴、
２０：回転中心、
２１：プレス金型、
２２：付勢手段支持部、
２５：トレー、
２６：飛散防止体、
２７：漏れ円滑剤案内部、
２８：棒部材差込穴、
３０：ベアリング、
３１：ベアリング支持部、
３２：ハンマーヘッド、
３３：シート搬送ローラ、
３４：カード搬送部、
３５：天井板、
３６：駆動軸、
３７：前板、
３８：後板、
３９：開口、
４０：ねじ棒部、
４１：固定ナット、
４２：ヘッド部、
４３：偏心回転体、
４４：偏心回転体受部、
４５：プレス装置、
４７：偏心回転体、
４９：プレス装置、
５０：延長部
【図１】
2019005798.tif 000003
【図２】
2019005798.tif 000004
【図３】
2019005798.tif 000005
【図４】
2019005798.tif 000006
【図５】
2019005798.tif 000007
【図６】
2019005798.tif 000008
【図７】
2019005798.tif 000009